(57)【特許請求の範囲】
【請求項１】
布テープからなる提げ手本体（６，７）と、この提げ手本体の両末端に設けられて手提げ袋（４）の孔からの脱出を阻止するストッパ（８，８）と、前記手提げ袋を開閉するため前記提げ手本体に取り付けられているファスナ（１０，１１）とからなる提げ手であって、
前記ストッパ（８，８）及び前記ファスナ（１０，１１）は、提げ手本体に射出成形により付着成形させたものであり、
前記ファスナ（１０，１１）は、合成樹脂製の雄部材（１０）と合成樹脂製の雌部材（１１）からなり、手提げ袋本体（６，７）上端よりも上に位置するものにおいて、
前記雄部材（１０）は表側中央部においても裏側中央部においても提げ手本体（７）を露出させており、
前記雌部材（１１）は表側中央部においても裏側中央部においても提げ手本体（６）を露出させており、さらに
前記雄部材（１０）の係合突起（１２）は、ベースを介することなく、提げ手本体（７）から直接起立している
ことを特徴とする手提げ袋用提げ手。
【発明の詳細な説明】
【０００１】
【発明の属する技術分野】
本発明は手提げ袋用の提げ手に関する。
【０００２】
【従来の技術】
従来の代表的な提げ手には、次のようなものがある。
▲１▼全体が組み紐であり、末端に結び目を設けたもの
▲２▼全体が合成樹脂からなり、提げ手本体と一体成形されたＵ字型溝を有する固定具が提げ手本体の末端に設けられており、そのＵ字型溝の中に紙袋の上端が収容固定されるもの
▲３▼本体が布製テープであり、末端にプラスチック製のストッパを設けたもの
上記▲２▼のタイプでは、固定具の部分にファスナも一体成形しておき、紙袋の開閉ができるようにしてあることが多い。
【０００３】
【発明が解決しようとする課題】
前記▲２▼のタイプで、固定具と一体となったファスナを設けると、手提げ袋の上端から数ｃｍ下のところで手提げ袋が開閉されることになる。そのことが意味するのは、手提げ袋の最上端は開放状態であると共に、このファスナに邪魔されて手提げ袋の上半分には内容物が十分に詰められないということである。また、▲２▼のタイプの提げ手は全体が合成樹脂で形成されているので、布製のものに比べて、手のひらに当たる感触が冷たく感じられる。また、合成樹脂製の提げ手はたわまないので、袋の重さが重いときなど手のひらに食い込む力が先鋭に感じられる。
【０００４】
また、固定具と一体となったファスナは原則として▲２▼のタイプの提げ手にしか適用できない。▲３▼のタイプにはそのままでは適用困難である。
【０００５】
本発明はこの問題点を解決するために行われたものであり、次のようなファスナを取り付けた提げ手を提供することを目的とする。
(1)布製の提げ手（▲３▼のタイプ）である。
(2)手提げ袋の上半分にも内容物が十分に詰められる。
(3)ファスナがあって開口の開閉が可能である。
(4)ファスナとストッパが同時に成形可能である。
(5)ファスナが本出願人の先願特許出願（現在未公開）の対象であり、新規である。
【０００６】
【課題を解決するための手段】
本発明の手提げ袋用提げ手は、布テープからなる提げ手本体と、この提げ手本体の両末端に設けられて手提げ袋の孔からの脱出を阻止するストッパと、前記手提げ袋を開閉するため前記提げ手本体に取り付けられているファスナとからなる提げ手であって、前記ストッパ及び前記ファスナは、提げ手本体に射出成形により付着成形させたものであり、前記ファスナは、合成樹脂製の雄部材と合成樹脂製の雌部材からなり、手提げ袋本体上端よりも上に位置するものにおいて、前記雄部材は表側中央部においても裏側中央部においても提げ手本体を露出させており、前記雌部材は表側中央部においても裏側中央部においても提げ手本体を露出させており、さらに前記雄部材の係合突起は、ベースを介することなく、提げ手本体から直接起立していることを特徴とする。
【０００７】
（削除）
【０００８】
【発明の実施の態様】
ストッパは、手提げ袋の孔からの脱出を阻止することができればよく、そのためには少なくとも１箇所手提げ袋の孔よりも大きい幅の部分を有していればよい。例えば、テープの幅方向に延びる棒状のものとすることができる。
【０００９】
手提げ袋を開閉するファスナは、例えば、本出願人の先願である特願平１１−３６８６１４号の発明を使用することができる。この先願発明は、手提げ袋を開閉するファスナが、雄側提げ手本体テープ上の合成樹脂製の雄部材と、雌側提げ手本体テープ上の合成樹脂製の雌部材とからなり、前記提げ手本体に取付孔を穿設することなく雄部材、雌部材とを成形固定したものであって、前記雄部材の係合突起を、ベースを介することなく、雄側提げ手本体テープから直接起立させたことを特徴とするものである。この雄部材及び雌部材の外観が表から見ても裏から見てもリング状であるものが好ましい。
その他、本出願人が出願して来た、次のような一連の発明に係るファスナを使用することもできる。
（１）特開平１０−３３２１０号
（２）特開平１０−３３２１１号
（３）特開２０００−２７０９０６
（４）特開２００１−８７１１
（５）特願平１１−２６０４５８号
（６）特願平１１−２３６４９９号
【００１０】
【実施例】
以下、添付の図面に基づき、本発明の実施例を説明する。
【００１１】
図１は本発明の提げ手２を取り付けた紙袋４の斜視図である。
【００１２】
本体６，７は布製テープであり、その末端部は紙袋の孔を外側から内側に貫通して内側においてストッパ８により固定されている。ストッパ８は図２(a)(b)に示すように、本体テープ６，７に対してこれよりも幅広の棒状合成樹脂を付着させたものである。そのようなストッパの成型方法の一例が本出願人の特許である特公平６−７７５２５号に示されている。本願発明においては、このストッパ８と下記ファスナとを同一樹脂により同時に成形することが好ましい。
【００１３】
図１に示されているように、紙袋上端よりも少し上の位置で紐本体にファスナ１０，１１が取り付けられている。ファスナは図２(a)(b)に示すような形状のもので、それ自体、本出願人の出願に係る特許出願（特願平１１−３６８６１４号、現在未公開）の対象である。図２(a)(b)は２本の提げ手を接合面側から見た平面図であり、(a)は雌部材１０側、(b)は雄部材１１側である。それぞれほぼリング状の外観を有する。各部材の反対側は図示していないが、やはりそれぞれリング状の外観を有する。ただし、反対側のリングの幅は、後記する成形上の理由により、やや太くなる。
【００１４】
図３は雄部材１１の平面図、図４は断面図である。雄部材の係合用突起１２は先端部周囲に係合用膨出縁１４と樹脂弾性による拡縮変形のための凹部１６を有する。
【００１５】
この雄部材１１を成形するには、ファスナ成形用空間を形成した上下金型（図示せず）間に、溶融樹脂が成形圧力によって通過浸透する粗さの無孔の生地テープ７を配設し、係合突起１２内側に位置するくぼみ部分１８の生地テープを前記上下金型で挟み込み固定し、その後、合成樹脂を前記成形空間内に射出する。図４の符号２０の小さなくぼみが金型の射出口に相当する。この射出口設定のために裏面側から見たリング幅が係合突起１８の幅（即ち、表側から見たリング幅）よりもやや幅広となる。
【００１６】
このようにして、生地テープ７両面に形成される雄部材の表面側と裏面側とが生地テープ７を透過する合成樹脂によって一体化される。テープ生地７としては、溶融されることなく溶融樹脂が透過する生地であることが必要で、織物でも編物でもよく、例えば木綿生地、混紡生地等を採用することができる。合成樹脂としては、熱可塑性樹脂、例えばポリアセタール溶融樹脂を使用することができる。
【００１７】
図５は雌部材４の平面図であり，図６は断面図である。生地テープ６を鋏んで合成樹脂により係合用くぼみ２２を形成している。雌部材の係合用くぼみ２２は、その開口部内側に型抜きを許容する範囲の係合用縁２４を形成している。
【００１８】
この雌部材の成型方法は雄部材１１のそれとほぼ同様であるので、詳細な説明を省略する。図６の符号２６の小さなくぼみが樹脂注入口である。
【００１９】
【発明の効果】
雄部材１１と雌部材１０を係合させた状態の断面を図７に示し、紙袋において、両者を係合させた状態の断面を図８に示す。図８から明らかなように、本発明の提げ手６，７を使用すれば、紙袋の上端より上で紙袋の開閉が行われるので、紙袋は上端近くまで内容物を詰めることができる。
【００２０】
しかも、ストッパ８とファスナ１０，１１は布テープ上に同時成形可能であって、布製提げ手の長所をすべて有する。
【図面の簡単な説明】
【図１】本発明の提げ手２を取り付けた紙袋４の斜視図である。
【図２】２本の提げ手を接合面側から見た平面図であり、(a)は雌部材１０側、(b)は雄部材１１側である。
【図３】雄部材１１の平面図である。
【図４】雄部材１１の断面図である。
【図５】雌部材４の平面図である。
【図６】雌部材４の断面図である。
【図７】雄部材１１と雌部材１０を係合させた状態の断面図である。
【図８】紙袋において、雄部材１１と雌部材１０を係合させた状態の断面図である。
【符号の説明】
４               手提げ袋
６               雌側提げ手本体（生地テープ）
７               雄側提げ手本体（生地テープ）
８，８           ストッパ
１０             ファスナ雌部材
１１             ファスナ雄部材
１２             係合突起
【図１】
0003869221.tif 000002
【図２】
0003869221.tif 000003
【図３】
0003869221.tif 000004
【図４】
0003869221.tif 000005
【図５】
0003869221.tif 000006
【図６】
0003869221.tif 000007
【図７】
0003869221.tif 000008
【図８】
0003869221.tif 000009